(57)【要約】  本発明の光送信器１は、連続光を出力する光源３と、連続光を変調信号に基づいて変調する変調器４と、変調器４により変調された光信号をモニタ光と出力光とに分岐する光分岐部８と、モニタ光を受光しモニタ光の強度に応じた電気信号を生成する光強度検出部５と、モニタ光を受光しモニタ光の波長に応じた電気信号を生成する光波長検出部６と、光強度検出部５および光波長検出部６が生成した電気信号に基づいて、出力光の光強度および出力光の中心波長が一定になるよう光源を制御する制御部１２と、を備える。
2012137280.tif 000002
【特許請求の範囲】
【請求項１】
連続光を出力する光源と、
前記連続光を変調信号に基づいて変調する変調部と、
前記変調部より出力された光信号をモニタ光と出力光とを含む少なくとも２つの分岐光に分岐する光分岐部と、
前記モニタ光を受光し、前記モニタ光の強度に応じた電気信号を生成する光強度検出部と、
前記モニタ光を受光し、前記モニタ光の波長に応じた電気信号を生成する光波長検出部と、
前記光強度検出部および前記光波長検出部が生成した電気信号に基づいて、前記出力光の光強度および出力光の中心波長が一定になるよう光源を制御する制御部と、
を備えることを特徴とする光送信器。
【請求項２】
前記光源に供給される電流に応じて前記連続光の強度が変化し、前記光源の温度に応じて前記連続光の波長が変化することとし、
前記光源に供給する電流を制御する光源制御部と、
前記光源の温度を制御する温度制御部と、
を備え、
前記制御部は、前記光源制御部に対して前記光源に供給する電流を指示し、前記温度制御部に対して目標温度を指示することにより、前記出力光の光強度および出力光の中心波長が一定になるよう光源を制御する、ことを特徴とする請求項１に記載の光送信器。
【請求項３】
前記光源、前記変調部、前記光強度検出部および前記光波長検出部が一体として集積化されたモジュールを構成する、ことを特徴とする請求項１または２に記載の光送信器。
【請求項４】
前記変調部は、クロック信号に基づいた変調信号に基づいて前記連続光を変調するパルス変調部、または伝送データに基づいた変調信号に基づいて前記連続光を変調するデータ変調部のうちのいずれか一方である、ことを特徴とする請求項１、２または３に記載の光送信器。
【請求項５】
前記変調部を複数とし、前記変調部として、クロック信号に基づいた変調信号に基づいて前記連続光を変調するパルス変調部、伝送データに基づいた変調信号に基づいて前記連続光を変調するデータ変調部、のうちの少なくともいずれか一方を含む、ことを特徴とする請求項１、２または３に記載の光送信器。
【請求項６】
前記変調部をマッハツェンダ型光変調器とする、ことを特徴とする請求項１〜５のいずれか１つに記載の光送信器。
【請求項７】
連続光を出力する連続光出力ステップと、
前記連続光を変調信号に基づいて変調する変調ステップと、
前記変調ステップにより変調された光信号をモニタ光と出力光とを含む少なくとも２つの分岐光に分岐する光分岐ステップと、
前記モニタ光を受光し、前記モニタ光の強度に応じた電気信号を生成する光強度検出ステップと、
前記モニタ光を受光し、前記モニタ光の波長に応じた電気信号を生成する光波長検出ステップと、
前記光強度検出ステップおよび前記光波長検出ステップで生成した電気信号に基づいて、前記出力光の光強度および出力光の中心波長が一定になるよう前記連続光を出力する光源を制御する制御ステップと、
を含むことを特徴とする光送信器の制御方法。
【請求項８】
前記連続光出力ステップの開始前に、前記光源の温度を、設定する波長に応じた温度に設定する設定ステップと、
前記連続光出力ステップの開始後に、前記変調ステップを実施する変調部の動作点を、透過損失が最小となるように設定する第１の動作点設定ステップと、
を含み、
前記第１の動作点設定ステップの後に前記制御ステップを実施した後、前記変調部の動作点を、前記光源より出力される前記連続光の波長と変調方式とに応じて最適な点に制御する、ことを特徴とする請求項７に記載の光送信器の制御方法。
【発明の詳細な説明】
【技術分野】
【０００１】
本発明は、光送信器および光送信器の制御方法に関する。
【背景技術】
【０００２】
長距離大容量光通信に向けて，光信号の変調方式としてRZ-DQPSK（Return  to  Zero  Differential  Quadrature  Phase  Shift  Keying）などを用いた，波長多重WDM（Wavelength  Division  Multiplexing）伝送方式が用いられている（下記非特許文献１参照）。【０００３】
RZ-DQPSK変調を行うには変調器を多段に接続する必要があり、搭載する部品点数が多く、コスト，実装面積の増加の要因となる。RZ-DQPSK変調を行う光送信器の小型化，低コスト化を実現するには、光源，変調器を集積化することが効果的である。【０００４】
WDM伝送方式では高い波長の安定性が求められるため、光源と変調器を集積化した光送信器（集積型光送信器）においても高い波長の安定性が求められる（例えば、下記非特許文献２参照）。従来の光送信器では、光源は単独で波長を制御することが可能であったが(例えば、下記特許文献１参照）。集積型光送信器として光源と変調器の出力を分岐した先に光波長，光強度モニタが配置される構成とした場合、モニタに入力される光の強度は変調器の損失により変化するため、光源の光波長の制御が課題となる。【０００５】
集積型光送信器の制御手法としては、例えば特許文献２に適正な強度のモニタ光を得る手法が開示されている。下記特許文献２では光源と変調器とバンドパスフィルタが縦続接続された光送信器において、変調器の出力をカプラによりモニタ光と出力光に分岐し、モニタ光をモニタ部に入力する前に減衰部を通過させる構成となっている。これにより、減衰部の減衰量を制御することで適正な強度のモニタ光を得られるようにしている。
【先行技術文献】
【特許文献】
【０００６】
【特許文献１】特公昭６２−５５３１８号公報
【特許文献２】特開２００３−２３３０４７号公報
【非特許文献】
【０００７】
【非特許文献１】A．Ehrhardt，et  al．，“Field  Trial  to  Upgrade  an  Existing  10Gbps  DWDM  Link  by  40Gbps  RZ-DQPSK  Channels，”ICTON07．9th，pp34-38，2007．
【非特許文献２】B.Villeneuve，et  al．，“High−stability  wavelength−controlled  DFB  laser  sources  for  dense  WDM  applications”OFC1998，pp381−382，1998．
【発明の概要】
【発明が解決しようとする課題】
【０００８】
上述のように、光源と変調器を集積化する場合、モニタに入力される光の強度は変調器の損失により変化するため、光源の光波長の制御が課題となる。しかしながら、上記非特許文献１、非特許文献２および特許文献１には、この課題に対する解決方法が示されていない。【０００９】
また、上記特許文献２の手法では、適正な強度のモニタ光を得ることはできるが、上記特許文献２には光源の波長を安定化する手法は開示されていない。このため、特許文献２の手法は、集積型光送信器を安定動作させるには不十分である、という問題があった。【００１０】
本発明は、上記に鑑みてなされたものであって、変調器と光源を集積した光送信器において波長を一定に制御することができる光送信器および光送信器の制御方法を得ることを目的とする。
【課題を解決するための手段】
【００１１】
上述した課題を解決し、目的を達成するために、本発明は、連続光を出力する光源と、前記連続光を変調信号に基づいて変調する変調部と、前記変調部より出力された光信号をモニタ光と出力光とを含む少なくとも２つの分岐光に分岐する光分岐部と、前記モニタ光を受光し、前記モニタ光の強度に応じた電気信号を生成する光強度検出部と、前記モニタ光を受光し、前記モニタ光の波長に応じた電気信号を生成する光波長検出部と、前記光強度検出部および前記光波長検出部が生成した電気信号に基づいて、前記出力光の光強度および出力光の中心波長が一定になるよう光源を制御する制御部と、を備えることを特徴とする。
【発明の効果】
【００１２】
本発明にかかる光送信器および光送信器の制御方法は、変調器と光源を集積した光送信器において波長を一定に制御することができる、という効果を奏する。
【図面の簡単な説明】
【００１３】
【図１】図１は、実施の形態１の光送信器の機能構成例を示す図である。
【図２】図２は、各ステップにおける光出力のスペクトルの一例を示す図である。
【図３】図３は、実施の形態２の光送信器の機能構成例を示す図である。
【発明を実施するための形態】
【００１４】
以下に、本発明にかかる光送信器および光送信器の制御方法の実施の形態を図面に基づいて詳細に説明する。なお、この実施の形態によりこの発明が限定されるものではない。
【００１５】
実施の形態１．
図１は、本発明にかかる光送信器の実施の形態１の機能構成例を示す図である。図１に示すように、本実施の形態の光送信器１は、集積型光送信モジュール２，光源３，変調器（変調部）４，光強度検出部５，光波長検出部６，温度可変素子７ａ，７ｂ，光分岐部８，光源制御部９，電気信号増幅部１０，温度制御部１１ａ，１１ｂ，制御部１２，メモリ１３を備える。
【００１６】
以下、本実施の形態の光送信器１の各部位の機能について説明する。集積型光送信モジュール２は光源３と変調器４と光強度検出部５と光波長検出部６と光分岐部８と温度可変素子７ａと温度可変素子７ｂとが一体として集積化されたモジュールである。
【００１７】
光源３はCW（Continuous  Wave）光を出力し、光源３の温度により光波長を調整することができ、光源３に供給される電流により光強度を調整する機能を有する。
【００１８】
変調器４は光源３から入力されるCW光を、電気信号増幅部１０から入力される変調信号に基づいて変調して光分岐部８へ出力する。光分岐部８は変調器４から出力された光信号を出力光とモニタ光とに分岐する。なお、本実施の形態では、光分岐部８は、変調器４から出力された光信号を、出力光とモニタ光との２つに分岐しているが、出力光とモニタ光とを含む３つ以上に分岐してもよい。
【００１９】
光強度検出部５は光分岐部８により分岐されたモニタ光の強度に応じたレベルを有する電気信号を生成して、生成した電気信号を制御部１２へ出力する。光波長検出部６は光分岐部８により分岐されたモニタ光の波長に応じたレベルを有する電気信号を生成し、生成した電気信号を制御部１２へ出力する。
【００２０】
温度可変素子７ａは光源３および変調器４の温度を制御する。また、温度可変素子７ｂは光強度検出部５と光波長検出部６の温度を制御する。光源制御部９は制御部１２より入力される制御信号に基づいて光源３に供給する電流を制御する。
【００２１】
電気信号増幅部１０は、外部の入力される変調信号（クロック信号、伝送するデータ、等に基づいて変調された信号）を、制御部１２より入力される制御信号に基づいて増幅して変調器４に出力する。
【００２２】
温度制御部１１ａは、制御部１２より入力される制御信号に基づいて温度可変素子７ａに供給する電流を制御する。温度制御部１１ｂは制御部１２より入力される制御信号に基づいて温度可変素子７ｂに供給する電流を制御する。
【００２３】
制御部１２は光強度検出部５および光波長検出部６から出力された電気信号とメモリ１３内の情報とに基づいて光源制御部９，電気信号増幅部１０，温度制御部１１ａおよび温度制御部１１ｂをそれぞれ制御するための制御信号を出力する。メモリ１３は制御部１２にて用いる各種情報を格納する。
【００２４】
次に、本実施の形態の光送信器１の動作を説明する。図２は、各ステップにおける光出力のスペクトルの一例を示す図である。以下に、ステップごとの動作を説明する。
【００２５】
・ステップ＃１
まず、光送信器１に電源が供給されると、制御部１２が起動する。制御部１２は設定すべき波長に対応した設定情報をメモリ１３から読み出し、読み出した設定情報に基づいて、設定すべき波長に応じた電流に設定するように光源制御部９に制御信号を出力し、設定すべき波長に応じた温度に設定するように第１の温度制御部１１ａおよび温度制御部１１ｂに制御信号を出力する。なお、メモリ１３に格納された設定情報には、設定すべき波長ごとに、光原制御部９に設定する電流、温度制御部１１ａ，１１ｂに設定すべき目標温度、等が格納されているとする。
【００２６】
光源制御部９は、光源３を起動し、制御部１２からの制御信号に基づいて光源３に電流を供給する。光源３は、供給された電流に応じた波長のCW光を出力する。また、温度制御部１１ａは温度可変素子７ａを起動し、制御部１２からの制御信号に基づいて光源３および変調器４の温度を制御する。温度制御部１１ｂは、温度可変素子７ｂを起動し、制御部１２からの制御信号に基づいて光強度検出部５および光波長検出部６の温度を制御する。
【００２７】
・ステップ＃２
ステップ＃１に続いて、制御部１２は、メモリ１３に格納されている設定情報に基づき、変調器４の動作点を透過損失が最小となるように設定する。ここで、透過損失とは変調器における光信号の損失を意味しており、透過損失が最小となるように設定とは、変調器より出力される光信号の出力が最大となるような変調器４の動作点の設定である。なお、メモリ１３に格納された設定情報には、設定すべき波長ごとに、変調器４の透過損失が最小となるように、制御部１２が変調器４に設定する動作点、等が格納されているとする。
【００２８】
・ステップ＃３
変調器４の動作点が透過損失を最小とするように設定されると、制御部１２は光強度検出部５から出力される電気信号に基づいて光強度が一定になるように光源制御部９に制御信号を出力し、光波長検出部６から出力される電気信号に基づいて出力信号の波長が所望の波長とずれている場合には所望の波長となるように温度制御部１１ａに制御信号を出力する。
【００２９】
・ステップ＃４
光波長および光強度が一定に制御されると、制御部１２は設定すべき波長に対応した設定情報をメモリ１３から読み出し、設定情報に基づいて、変調器４の動作点を、出力している波長と変調方式とに応じた設定とし、光強度検出部５から出力される電気信号に基づいて変調器４の動作点を、出力している波長と変調方式とに応じて最適な点に制御する。ここで、出力している波長と変調方式とに応じた最適な点とは、変調器４に変調信号を印加したときに、波長と変調方式に応じた所望の光信号を出力するような設定である。なお、メモリ１３に格納された設定情報には、設定すべき波長，変調方式ごとに、変調器４が最適な点で動作するように、制御部１２が変調器４に設定する動作点、等が格納されているとする。
【００３０】
なお、本実施の形態では光源３は、温度により光波長を調整でき、供給する電流により光強度を調整できるが、このような機能は、例えばDFB-LD（Distributed-Feedbak  Lazer  Diode）等を用いることにより実現可能である。
【００３１】
また、変調器４としては、印加する電圧により動作点を制御でき、変調信号を加えることで光に変調を加えることができればどのような変調器を用いてもよいが、このような機能は例えばマッハツェンダ型変調器により実現可能である。
【００３２】
光強度検出部５は、入力された光の強度に応じたレベルの電気信号を出力することができればよい。このような機能は、例えばPD（Photo  Diode）を用いることにより実現可能である。
【００３３】
光波長検出部６は、入力された光の波長に応じたレベルの電気信号を出力することができればよい。すなわち、光波長検出部６は、波長が変化した場合に、出力する電気信号が変化するような構成であればよい。光波長検出部６は、例えば波長に応じて透過率の異なる光のフィルタを通過した光をPDにより受光するように構成にすることで実現可能である。
【００３４】
温度可変素子７ａ，７ｂは、入力された制御信号に基づいて温度を変更することができればよい。このような機能は、例えば供給する電流を制御することで温度を制御できるペルチェクーラにより実現可能である。
【００３５】
光分岐部８は、入力された光の一部を透過させ、一部を分岐することができればよい。このような機能は、例えば通常光を分岐することに使われるビームスプリッタなどの光学部品により実現可能である。
【００３６】
電気信号増幅部１０は、入力された変調信号を、制御部１２より入力される制御信号に基づいて増幅して出力することができればよい。このような機能は、例えば通常マッハツェンダ型変調器の駆動用に用いられる利得調整機能を持ったドライバアンプなどの高周波電気部品により実現可能である。
【００３７】
制御部１２は、複数のADC（Analog  to  Digital  Converter）、DAC（Digital  to  Analog  Converter）およびI／O（Input／Output）ポートを備え、内部で演算する機能を有していればよい。制御部１２は、例えばマイクロコンピュータにより実現可能である。
【００３８】
メモリ１３は、内部に情報を格納することができ、必要に応じて読み出し，書き込みができる機能を有していればよい。このような機能は、例えばEEPROM（Electrically  Erasable  Programmable  Read−Only  Memory）により実現可能である。
【００３９】
以上のように、本実施の形態では、変調器４により変調された光を、光分岐部８がモニタ光と光信号に分岐する。そして、光強度検出部５がモニタ光の強度に応じた電気信号を出力し、光波長検出部６がモニタ光の波長に応じた電気信号を出力する。そして、制御部１２が、光強度検出部５および光波長検出部６から出力される電気信号に基づいて、モニタ光の強度および波長が一定となるよう制御するようにした。このため、変調器と光源を集積した光送信器（例えば、光源，変調器が縦続接続され，光出力の一部を分岐してモニタ用フォトダイオードに入力するような光送信器）において波長を一定に制御することができる。
【００４０】
実施の形態２．
図３は、本発明にかかる光送信器の実施の形態２の機能構成例を示す図である。図３に示すように、本実施の形態の光送信器１ａは、実施の形態１の変調器４の代わりに変調器４ａ，４ｂを備え、電気信号増幅器１０の代わりに電気信号増幅器１０ａ，１０ｂを備える以外は、実施の形態１の光送信器１と同様である。実施の形態１と同様の機能を有する構成要素は、実施の形態１と同一の符号を付して重複する説明を省略する。
【００４１】
実施の形態１では変調器を１つとしたが、変調器を複数備える場合にも本発明の制御方法は適用できる。本実施の形態では、変調器を２つ備える例について説明する。このような構成をとる場合は、例えば、２つの変調器が、それぞれクロック信号に基づいた変調信号で変調するパルス変調器、伝送データに基づいた変調信号で変調するデータ変調器、である例等が考えられる。
【００４２】
変調器４ａは光源３より入力されるCW光を、電気信号増幅部１０ａより入力される変調信号に基づいて変調し変調器４ｂへ出力する。変調器４ｂは変調器４ａより入力される信号光を、電気信号増幅部１０ｂより入力される変調信号に基づいて変調し光分岐部８へ出力する。
【００４３】
電気信号増幅部１０ａは入力される変調信号を、制御部１２より入力される制御信号に基づいて増幅して変調器４ａに出力する。電気信号増幅部１０ｂは入力される変調信号を、制御部１２より入力される制御信号に基づいて増幅して変調器４ｂに出力する。
【００４４】
次に本実施形態の光送信器１ａの動作を説明する。
【００４５】
ステップ＃１
ステップ＃１は、実施の形態１のステップ＃１と同様である。
【００４６】
ステップ＃２
ステップ＃１の後、続いて、制御部１２はメモリ１３に格納されている設定情報に基づき、変調器４ａおよび変調器４ｂの動作点を透過損失が最小となるように設定する。
【００４７】
ステップ＃３
変調器４ａと変調器４ｂの動作点が、透過損失が最小となるように設定されると、制御部１２は、実施の形態１と同様に、制御部１２は光強度検出部５から出力される電気信号に基づいて光強度が一定になるように光源制御部９に制御信号を出力し、光波長検出部６から出力される電気信号に基づいて光波長が一定になるように温度制御部１１ａに制御信号を出力する。
【００４８】
ステップ＃４
光波長・光強度が一定に制御されると、制御部１２は設定すべき波長に対応した設定情報をメモリ１３から読み出し、設定情報に基づいて、変調器４ａと変調器４ｂの動作点を、出力している波長と変調方式とに応じた設定にする。そして、光強度検出部５より出力される電気信号に基づいて、変調器４ａと変調器４ｂの動作点を、出力している波長と変調方式とに応じて最適な点に制御する。
【００４９】
本実施の形態では、変調器を２つ備える光送信器においても実施の形態１と同様に、制御部１２が、光強度検出部５および光波長検出部６から出力される電気信号に基づいて、モニタ光の強度および波長が一定となるよう制御するようにした。このため、変調器を２つ備える光送信器においても実施の形態１と同様の効果を得ることができる。
【符号の説明】
【００５０】
１  光送信器
２  集積型光送信モジュール
３  光源
４，４ａ，４ｂ  変調器
５  光強度検出部
６  光波長検出部
７ａ，７ｂ  温度可変素子
８  光分岐部
９  光源制御部
１０，１０ａ，１０ｂ  電気信号増幅部
１１ａ，１１ｂ  温度制御部
１２  制御部
１３  メモリ
【図１】
2012137280.tif 000003
【図２】
2012137280.tif 000004
【図３】
2012137280.tif 000005
【手続補正書】
【提出日】平成25年1月31日(2013.1.31)
【手続補正１】
【補正対象書類名】明細書
【補正対象項目名】００１１
【補正方法】変更
【補正の内容】
【００１１】
上述した課題を解決し、目的を達成するために、本発明は、連続光を出力する光源と、前記光源に一体として集積化され、前記連続光を変調信号に基づいて変調する変調部と、前記変調部より出力された光信号をモニタ光と出力光とを含む少なくとも２つの分岐光に分岐する光分岐部と、前記モニタ光を受光し、前記モニタ光の強度に応じた電気信号を生成する光強度検出部と、前記モニタ光を受光し、前記モニタ光の波長に応じた電気信号を生成する光波長検出部と、前記光強度検出部および前記光波長検出部が生成した電気信号に基づいて、前記出力光の光強度および前記出力光の中心波長が一定になるよう前記光源を制御する制御部と、を備え、前記制御部は、前記変調部の動作点を通過損失が最小となるような設定とし前記出力光の中心波長が所望の波長となるように前記光源を制御した後に、前記変調部の動作点を変調方式に応じた設定とする、ことを特徴とする。
【手続補正２】
【補正対象書類名】特許請求の範囲
【補正対象項目名】全文
【補正方法】変更
【補正の内容】
【特許請求の範囲】
【請求項１】
連続光を出力する光源と、
前記光源に一体として集積化され、前記連続光を変調信号に基づいて変調する変調部と、
前記変調部より出力された光信号をモニタ光と出力光とを含む少なくとも２つの分岐光に分岐する光分岐部と、
前記モニタ光を受光し、前記モニタ光の強度に応じた電気信号を生成する光強度検出部と、
前記モニタ光を受光し、前記モニタ光の波長に応じた電気信号を生成する光波長検出部と、
前記光強度検出部および前記光波長検出部が生成した電気信号に基づいて、前記出力光の光強度および前記出力光の中心波長が一定になるよう前記光源を制御する制御部と、
を備え、
前記制御部は、前記変調部の動作点を通過損失が最小となるような設定とし前記出力光の中心波長が所望の波長となるように前記光源を制御した後に、前記変調部の動作点を変調方式に応じた設定とする、ことを特徴とする光送信器。
【請求項２】
前記光源に供給される電流に応じて前記連続光の強度が変化し、前記光源の温度に応じて前記連続光の波長が変化することとし、
前記光源に供給する電流を制御する光源制御部と、
前記光源の温度を制御する温度制御部と、
を備え、
前記制御部は、前記光源制御部に対して前記光源に供給する電流を指示し、前記温度制御部に対して目標温度を指示することにより、前記出力光の光強度および出力光の中心波長が一定になるよう光源を制御する、ことを特徴とする請求項１に記載の光送信器。
【請求項３】
前記変調部は、クロック信号に基づいた変調信号に基づいて前記連続光を変調するパルス変調部、または伝送データに基づいた変調信号に基づいて前記連続光を変調するデータ変調部のうちのいずれか一方である、ことを特徴とする請求項１または２に記載の光送信器。
【請求項４】
前記変調部を複数とし、前記変調部として、クロック信号に基づいた変調信号に基づいて前記連続光を変調するパルス変調部、伝送データに基づいた変調信号に基づいて前記連続光を変調するデータ変調部、のうちの少なくともいずれか一方を含む、ことを特徴とする請求項１または２に記載の光送信器。
【請求項５】
前記変調部をマッハツェンダ型光変調器とする、ことを特徴とする請求項１〜４のいずれか１つに記載の光送信器。
【請求項６】
光源から連続光を出力する連続光出力ステップと、
前記光源に一体として集積化された変調部で前記連続光を変調信号に基づいて変調する変調ステップと、
前記変調ステップにより変調された光信号をモニタ光と出力光とを含む少なくとも２つの分岐光に分岐する光分岐ステップと、
前記モニタ光を受光し、前記モニタ光の強度に応じた電気信号を生成する光強度検出ステップと、
前記モニタ光を受光し、前記モニタ光の波長に応じた電気信号を生成する光波長検出ステップと、
前記光強度検出ステップおよび前記光波長検出ステップで生成した電気信号に基づいて、前記出力光の光強度および前記出力光の中心波長が一定になるよう前記光源を制御する制御ステップと、を含み、
前記制御ステップでは、前記変調部の動作点を通過損失が最小となるような設定とし前記出力光の中心波長が所望の波長となるように前記光源を制御した後に、前記変調部の動作点を変調方式に応じた設定とする、ことを特徴とする光送信器の制御方法。
【請求項７】
前記連続光出力ステップの開始前に、前記光源の温度を前記所望の波長に応じた温度に設定する設定ステップ、
を含む、ことを特徴とする請求項６に記載の光送信器の制御方法。
【手続補正書】
【提出日】平成25年9月13日(2013.9.13)
【手続補正１】
【補正対象書類名】明細書
【補正対象項目名】００１１
【補正方法】変更
【補正の内容】
【００１１】
上述した課題を解決し、目的を達成するために、本発明は、連続光を出力する光源と、前記光源に一体として集積化され、前記連続光を変調信号に基づいて変調する変調部と、前記変調部より出力された光信号をモニタ光と出力光とを含む少なくとも２つの分岐光に分岐する光分岐部と、前記モニタ光を受光し、前記モニタ光の強度に応じた電気信号を生成する光強度検出部と、前記モニタ光を受光し、前記モニタ光の波長に応じた電気信号を生成する光波長検出部と、前記光強度検出部および前記光波長検出部が生成した電気信号に基づいて、前記出力光の光強度および前記出力光の中心波長が一定になるよう前記光源を制御する制御部と、を備え、前記制御部は、前記変調部の動作点を通過損失が最小となり前記変調部より出力される光信号の出力が最大となるような設定とし前記出力光の中心波長が所望の波長となるように前記光源を制御した後に、前記変調部の動作点を変調方式に応じた設定とする、ことを特徴とする。
【手続補正２】
【補正対象書類名】特許請求の範囲
【補正対象項目名】全文
【補正方法】変更
【補正の内容】
【特許請求の範囲】
【請求項１】
連続光を出力する光源と、
前記光源に一体として集積化され、前記連続光を変調信号に基づいて変調する変調部と、
前記変調部より出力された光信号をモニタ光と出力光とを含む少なくとも２つの分岐光に分岐する光分岐部と、
前記モニタ光を受光し、前記モニタ光の強度に応じた電気信号を生成する光強度検出部と、
前記モニタ光を受光し、前記モニタ光の波長に応じた電気信号を生成する光波長検出部と、
前記光強度検出部および前記光波長検出部が生成した電気信号に基づいて、前記出力光の光強度および前記出力光の中心波長が一定になるよう前記光源を制御する制御部と、
を備え、
前記制御部は、前記変調部の動作点を通過損失が最小となり前記変調部より出力される光信号の出力が最大となるような設定とし前記出力光の中心波長が所望の波長となるように前記光源を制御した後に、前記変調部の動作点を変調方式に応じた設定とする、ことを特徴とする光送信器。
【請求項２】
前記光源に供給される電流に応じて前記連続光の強度が変化し、前記光源の温度に応じて前記連続光の波長が変化することとし、
前記光源に供給する電流を制御する光源制御部と、
前記光源の温度を制御する温度制御部と、
を備え、
前記制御部は、前記光源制御部に対して前記光源に供給する電流を指示し、前記温度制御部に対して目標温度を指示することにより、前記出力光の光強度および前記出力光の中心波長が一定になるよう光源を制御する、ことを特徴とする請求項１に記載の光送信器。
【請求項３】
前記変調部は、クロック信号に基づいた変調信号に基づいて前記連続光を変調するパルス変調部、または伝送データに基づいた変調信号に基づいて前記連続光を変調するデータ変調部のうちのいずれか一方である、ことを特徴とする請求項１または２に記載の光送信器。
【請求項４】
前記変調部を複数とし、前記変調部として、クロック信号に基づいた変調信号に基づいて前記連続光を変調するパルス変調部、伝送データに基づいた変調信号に基づいて前記連続光を変調するデータ変調部、のうちの少なくともいずれか一方を含む、ことを特徴とする請求項１または２に記載の光送信器。
【請求項５】
前記変調部をマッハツェンダ型光変調器とする、ことを特徴とする請求項１〜４のいずれか１つに記載の光送信器。
【請求項６】
光源から連続光を出力する連続光出力ステップと、
前記光源に一体として集積化された変調部で前記連続光を変調信号に基づいて変調する変調ステップと、
前記変調ステップにより変調された光信号をモニタ光と出力光とを含む少なくとも２つの分岐光に分岐する光分岐ステップと、
前記モニタ光を受光し、前記モニタ光の強度に応じた電気信号を生成する光強度検出ステップと、
前記モニタ光を受光し、前記モニタ光の波長に応じた電気信号を生成する光波長検出ステップと、
前記光強度検出ステップおよび前記光波長検出ステップで生成した電気信号に基づいて、前記出力光の光強度および前記出力光の中心波長が一定になるよう前記光源を制御する制御ステップと、を含み、
前記制御ステップでは、前記変調部の動作点を通過損失が最小となり前記変調部より出力される光信号の出力が最大となるような設定とし前記出力光の中心波長が所望の波長となるように前記光源を制御した後に、前記変調部の動作点を変調方式に応じた設定とする、ことを特徴とする光送信器の制御方法。
【請求項７】
前記連続光出力ステップの開始前に、前記光源の温度を前記所望の波長に応じた温度に設定する設定ステップ、
を含む、ことを特徴とする請求項６に記載の光送信器の制御方法。
【手続補正書】
【提出日】平成25年12月11日(2013.12.11)
【手続補正１】
【補正対象書類名】明細書
【補正対象項目名】００１１
【補正方法】変更
【補正の内容】
【００１１】
上述した課題を解決し、目的を達成するために、本発明は、連続光を出力する光源と、前記光源に一体として集積化され、前記連続光を変調信号に基づいて変調する変調部と、前記変調部より出力された光信号をモニタ光と出力光とを含む少なくとも２つの分岐光に分岐する光分岐部と、前記モニタ光を受光し、前記モニタ光の強度に応じた電気信号を生成する光強度検出部と、前記モニタ光を受光し、前記モニタ光の波長に応じた電気信号を生成する光波長検出部と、前記光強度検出部および前記光波長検出部が生成した電気信号に基づいて、前記出力光の光強度および前記出力光の中心波長が一定になるよう前記光源を制御する制御部と、を備え、前記制御部は、前記変調部の動作点を通過損失が最小となり前記変調部より出力される光信号の出力が最大となるような設定として前記光強度が一定になるように前記光源を制御し前記出力光の中心波長が所望の波長となるように前記光源を制御した後に、前記変調部の動作点を変調方式に応じた設定とする、ことを特徴とする。
【手続補正２】
【補正対象書類名】特許請求の範囲
【補正対象項目名】全文
【補正方法】変更
【補正の内容】
【特許請求の範囲】
【請求項１】
連続光を出力する光源と、
前記光源に一体として集積化され、前記連続光を変調信号に基づいて変調する変調部と、
前記変調部より出力された光信号をモニタ光と出力光とを含む少なくとも２つの分岐光に分岐する光分岐部と、
前記モニタ光を受光し、前記モニタ光の強度に応じた電気信号を生成する光強度検出部と、
前記モニタ光を受光し、前記モニタ光の波長に応じた電気信号を生成する光波長検出部と、
前記光強度検出部および前記光波長検出部が生成した電気信号に基づいて、前記出力光の光強度および前記出力光の中心波長が一定になるよう前記光源を制御する制御部と、
を備え、
前記制御部は、前記変調部の動作点を通過損失が最小となり前記変調部より出力される光信号の出力が最大となるような設定として前記光強度が一定になるように前記光源を制御し前記出力光の中心波長が所望の波長となるように前記光源を制御した後に、前記変調部の動作点を変調方式に応じた設定とする、ことを特徴とする光送信器。
【請求項２】
前記光源に供給される電流に応じて前記連続光の強度が変化し、前記光源の温度に応じて前記連続光の波長が変化することとし、
前記光源に供給する電流を制御する光源制御部と、
前記光源の温度を制御する温度制御部と、
を備え、
前記制御部は、前記光源制御部に対して前記光源に供給する電流を指示し、前記温度制御部に対して目標温度を指示することにより、前記出力光の光強度および前記出力光の中心波長が一定になるよう光源を制御する、ことを特徴とする請求項１に記載の光送信器。
【請求項３】
前記変調部は、クロック信号に基づいた変調信号に基づいて前記連続光を変調するパルス変調部、または伝送データに基づいた変調信号に基づいて前記連続光を変調するデータ変調部のうちのいずれか一方である、ことを特徴とする請求項１または２に記載の光送信器。
【請求項４】
前記変調部を複数とし、前記変調部として、クロック信号に基づいた変調信号に基づいて前記連続光を変調するパルス変調部、伝送データに基づいた変調信号に基づいて前記連続光を変調するデータ変調部、のうちの少なくともいずれか一方を含む、ことを特徴とする請求項１または２に記載の光送信器。
【請求項５】
前記変調部をマッハツェンダ型光変調器とする、ことを特徴とする請求項１〜４のいずれか１つに記載の光送信器。
【請求項６】
光源から連続光を出力する連続光出力ステップと、
前記光源に一体として集積化された変調部で前記連続光を変調信号に基づいて変調する変調ステップと、
前記変調ステップにより変調された光信号をモニタ光と出力光とを含む少なくとも２つの分岐光に分岐する光分岐ステップと、
前記モニタ光を受光し、前記モニタ光の強度に応じた電気信号を生成する光強度検出ステップと、
前記モニタ光を受光し、前記モニタ光の波長に応じた電気信号を生成する光波長検出ステップと、
前記光強度検出ステップおよび前記光波長検出ステップで生成した電気信号に基づいて、前記出力光の光強度および前記出力光の中心波長が一定になるよう前記光源を制御する制御ステップと、を含み、
前記制御ステップでは、前記変調部の動作点を通過損失が最小となり前記変調部より出力される光信号の出力が最大となるような設定として前記光強度が一定になるように前記光源を制御し前記出力光の中心波長が所望の波長となるように前記光源を制御した後に、前記変調部の動作点を変調方式に応じた設定とする、ことを特徴とする光送信器の制御方法。
【請求項７】
前記連続光出力ステップの開始前に、前記光源の温度を前記所望の波長に応じた温度に設定する設定ステップ、
を含む、ことを特徴とする請求項６に記載の光送信器の制御方法。
【国際調査報告】
2012137280.tif 000006
2012137280.tif 000007